【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
誘電体が接近可能な少なくとも１つの導電体と、
所定の周期（τ）で、経時的に変化する前記導電体の静電容量（Ｃ(ｔ)）を連続的に検出する検出部と、
所定の時点(ｔ)を終点とする所定の期間（ｎτ：ｎは２以上の自然数）における静電容量の移動平均値（Ａ(ｔ)）を算出する制御部とを備え、
前記制御部は、前記静電容量（Ｃ(ｔ)）と前記移動平均値（Ａ(ｔ)）との差（Ｄ(ｔ)）が所定の静電容量差閾値（Ｄｔｈ）より大きいとき、すなわち次式を満たすとき、前記誘電体が前記導電体に接近したと検知することを特徴とする検知装置。
【数１】
2013101011.tif 000001
【請求項２】
誘電体が接近可能な少なくとも１つの導電体と、
所定の周期（τ）で、経時的に変化する前記導電体の静電容量（Ｃ(ｔ)）を連続的に検出する検出部と、
所定の時点(ｔ)を終点とする所定の期間（ｎτ：ｎは２以上の自然数）における静電容量の移動平均値（Ａ(ｔ)）を算出する制御部とを備え、
前記制御部は、第１の時点（ｔｐ）を終点とする第１の期間（ｎτ）における静電容量の第１の移動平均値Ａ（ｔｐ）と、第１の時点（ｔｐ）より後の第２の時点（ｔｑ）を終点とする第２の期間（ｎτ）における静電容量の第２の移動平均値Ａ（ｔｑ）とを算出し、前記第１の移動平均値Ａ（ｔｐ）と前記第２の移動平均値Ａ（ｔｑ）との差（ＤＡ(ｔ)）が所定の平均差閾値（ＤＡｔｈ）より大きいとき、すなわち次式を満たすとき、前記誘電体が前記導電体に接近したと検知することを特徴とする検知装置。
【数２】
2013101011.tif 000002
【請求項３】
請求項１または２に記載の検知装置であって、
導電体は、一対の誘電体が接近可能な第１および第２の導電体を有し、
検出部は、所定の周期（τ）で、経時的に変化する第１および第２の導電体の静電容量（Ｃ１，Ｃ２）を連続的に検出し、
制御部は、前記第１の導電体の静電容量（Ｃ１）に対し、第２の導電体の静電容量（Ｃ２）に所定の係数（ｋ）を掛けたものを加えたことにより得られる和信号（ＣＡ）と、第１の導電体の静電容量（Ｃ１）と、前記第２の導電体の静電容量（Ｃ２）に所定の係数（ｋ）を掛けたものとの差の絶対値をとることにより得られる差信号（ＣＤ）とを算出するとともに、和信号（ＣＡ）が所定の和信号閾値（ＣＡｔｈ）より大きく、かつ差信号（ＣＤ）が所定の差信号閾値（ＣＤｔｈ）より小さいとき、すなわち次式を満たすとき、一対の誘電体がともに第１および第２の導電体に接近したと検知することを特徴とする検知装置。
【数３】
2013101011.tif 000003
【請求項４】
請求項１〜３のいずれか１に記載の検知装置を用いた手乾燥装置であって、
送風口および手挿入部を有するケーシングと、
前記送風口から前記手挿入部に乾燥風を供給する送風部とを備え、
検知装置は、前記ケーシング内に配置され、
導電体は、前記手挿入部に隣接して前記ケーシング内に配置された絶縁被膜された導電線を含み、
誘電体は、前記手挿入部に挿入されたユーザの手であり、
検出部は、経時的に変化する前記導電線の静電容量（Ｃ(ｔ)）を連続的に検出し、
制御部は、静電容量（Ｃ(ｔ)）と移動平均値（Ａ(ｔ)）との差（Ｄ(ｔ)）が所定の静電容量差閾値（Ｄｔｈ）より大きいとき、ユーザの手が手挿入部内に挿入されたと検知して、前記送風口から前記手挿入部に乾燥風を供給するように前記送風部を制御することを特徴とする手乾燥装置。
【請求項５】
請求項４に記載の手乾燥装置であって、
ケーシングは、前方張出部および後方張出部を有し、
前記ケーシングの前記前方張出部内に導電線が配置され、
前記ケーシングの前記後方張出部内には、接地されたシールド板が配設され、手挿入部に挿入された手以外のユーザの体の一部が前記導電線に接近することに起因する前記導電線の静電容量の変動を抑制することを特徴とする手乾燥装置。
【請求項６】
請求項４に記載の手乾燥装置であって、
ケーシングに配設された本体表示部をさらに有し、
制御部は、導電線の静電容量（Ｃ(ｔ)）の移動平均値（Ａ(ｔ)）が所定期間以上継続して導電線背景閾値（Ａｔｈ）より高いとき、すなわち次式を満たすとき、前記ケーシングに汚れまたは異物が付着していると検知して、これをユーザに告知するように前記本体表示部を制御することを特徴とする手乾燥装置。
【数４】
2013101011.tif 000004
【請求項７】
請求項１〜３のいずれか１に記載の検知装置を用いた手乾燥装置であって、
ケーシングと、
前記ケーシングの下方に配置された排水タンクと、
前記排水タンクに配置された排水表示部とを備え、
検知装置は、前記ケーシング内に配置され、
導電体は、前記排水タンクに隣接して前記ケーシング内に配置されたドレン導電板を含み、
誘電体は、前記排水タンク内に蓄積された排水であり、
検出部は、経時的に変化するドレン導電板の静電容量（Ｅ(ｔ)）を連続的に検出し、
制御部は、所定の時点(ｔ)を終点とする所定の期間（ｎτ：ｎは２以上の自然数）における静電容量の移動平均値（Ｆ(ｔ)）を算出し、前記静電容量（Ｅ(ｔ)）と前記移動平均値（Ｆ(ｔ)）との差（Ｇ(ｔ)）が所定のドレン閾値（Ｇｔｈ）より大きいとき、すなわち次式を満たすとき、排水タンク内に蓄積された排水が所定の水位を越えたと検知し、これをユーザに告知するように排水表示部を制御することを特徴とする手乾燥装置。
【数５】
2013101011.tif 000005
【請求項８】
請求項３に記載の検知装置を用いた手乾燥装置であって、
送風口および手挿入部を有するケーシングと、
前記送風口から前記手挿入部に乾燥風を供給する送風部とを備え、
検知装置は、前記ケーシング内に配置され、
第１および第２の導電体は、前記手挿入部に隣接してケーシング内に配置された絶縁被膜された導電線を含み、
誘電体は、前記手挿入部に挿入されたユーザの両方の手であり、
制御部は、和信号（ＣＡ）が所定の和信号閾値（ＣＡｔｈ）より大きく、かつ差信号（ＣＤ）が所定の差信号閾値（ＣＤｔｈ）より小さいとき、ユーザの両方の手が手挿入部内に挿入されたと検知して、前記送風口から前記手挿入部に乾燥風を供給するように前記送風部を制御することを特徴とする手乾燥装置。
【請求項９】
所定の周期（τ）で、経時的に変化する導電体の静電容量（Ｃ(ｔ)）を連続的に検出するステップと、
所定の時点(ｔ)を終点とする所定の期間（ｎτ：ｎは２以上の自然数）における静電容量の移動平均値（Ａ(ｔ)）を算出するステップと、
前記静電容量（Ｃ(ｔ)）と前記移動平均値（Ａ(ｔ)）との差（Ｄ(ｔ)）が所定の静電容量差閾値（Ｄｔｈ）より大きいとき、すなわち次式を満たすとき、前記誘電体が前記導電体に接近したと検知するステップとを有することを特徴とする検知方法。
【数６】
2013101011.tif 000006
【請求項１０】
所定の周期（τ）で、経時的に変化する前記導電体の静電容量（Ｃ(ｔ)）を連続的に検出するステップと、
所定の時点(ｔ)を終点とする所定の期間（ｎτ：ｎは２以上の自然数）における静電容量の移動平均値（Ａ(ｔ)）を算出するステップと、
第１の時点（ｔｐ）を終点とする第１の期間（ｎτ）における静電容量の第１の移動平均値Ａ（ｔｐ）と、第１の時点（ｔｐ）より後の第２の時点（ｔｑ）を終点とする第２の期間（ｎτ）における静電容量の第２の移動平均値Ａ（ｔｑ）とを算出するステップと、
前記第１の移動平均値Ａ（ｔｐ）と前記第２の移動平均値Ａ（ｔｑ）との差（ＤＡ(ｔ)）が所定の平均差閾値（ＤＡｔｈ）より大きいとき、すなわち次式を満たすとき、前記誘電体が前記導電体に接近したと検知するステップとを有することを特徴とする検知方法。
【数７】
2013101011.tif 000007
【請求項１１】
請求項９または１０に記載の検知方法であって、
導電体の静電容量を検出するステップは、所定の周期（τ）で、経時的に変化する第１および第２の導電体の静電容量（Ｃ１，Ｃ２）を連続的に検出するステップを含み、
前記第１の導電体の静電容量（Ｃ１）に対し、第２の導電体の静電容量（Ｃ２）に所定の係数（ｋ）を掛けたものを加えたことにより得られる和信号（ＣＡ）と、第１の導電体の静電容量（Ｃ１）と、前記第２の導電体の静電容量（Ｃ２）に所定の係数（ｋ）を掛けたものとの差の絶対値をとることにより得られる差信号（ＣＤ）とを算出するステップと、
和信号（ＣＡ）が所定の和信号閾値（ＣＡｔｈ）より大きく、かつ差信号（ＣＤ）が所定の差信号閾値（ＣＤｔｈ）より小さいとき、すなわち次式を満たすとき、一対の誘電体がともに第１および第２の導電体に接近したと検知するステップとを有することを特徴とする検知方法。
【数８】
2013101011.tif 000008